(57)【要約】      （修正有）【課題】位置に応じた適切な表示態様（範囲）において、地図情報を携帯端末に簡便に提供することのできる地図情報提供システムを提供する。【解決手段】地図情報提供システム１では、予め各所に設置された、複数のユーザの各携帯端末６にＵＲＬデータ３８を付与可能な複数のリーダライタ４と、各携帯端末６とそれぞれ通信可能に接続された、記憶手段１２を有する地図情報サーバ２とを備え、地図情報サーバ２は、記憶手段１２に、提供しようとする地図のデータを含む基礎地図データ１８を有すると共に、携帯端末６のいずれかからＵＲＬデータ３８を受信すると、当該ＵＲＬデータ３８（の末部）に応じた範囲で基礎地図データ１８を参照して地図画像を作成し、当該携帯端末６に送信する。【選択図】図１
0003156068.tif 000002
【実用新案登録請求の範囲】
【請求項１】
予め各所に設置された、複数のユーザの各携帯端末に識別情報を付与可能な複数の識別情報提供手段と、
前記携帯端末とそれぞれ通信可能に接続された、記憶手段を有する地図情報サーバコンピュータと
を備え、
前記地図情報サーバコンピュータは、
前記記憶手段に、提供しようとする地図のデータ及び複数の施設のデータを含む基礎地図データを有すると共に、
前記携帯端末のいずれかから前記識別情報を受信すると、当該識別情報に応じた範囲で前記基礎地図データを参照して地図画像を作成し、当該携帯端末に送信する
ものであり、
前記範囲は、前記施設の多少に応じた縮尺に基づくものである
ことを特徴とする地図情報提供システム。
【請求項２】
前記識別情報提供手段は、複数のユーザの各前記携帯端末に前記識別情報を接触通信及び／又は非接触通信により送信可能な複数のリーダライタである
ことを特徴とする請求項１に記載の地図情報提供システム。
【請求項３】
前記地図情報サーバコンピュータは、
前記記憶手段に、各前記識別情報と前記範囲に係る情報とを対応付けた識別情報データベースを有し、
受信した前記識別情報に基づいて当該識別情報データベースを参照することにより、前記範囲を決定する
ことを特徴とする請求項１又は請求項２に記載の地図情報提供システム。
【請求項４】
前記識別情報は、前記地図情報サーバコンピュータを示すＵＲＬに係るものである
ことを特徴とする請求項１ないし請求項３のいずれかに記載の地図情報提供システム。
【請求項５】
前記識別情報提供手段は、少なくとも、駅に設置されている
ことを特徴とする請求項１ないし請求項４のいずれかに記載の地図情報提供システム。
【請求項６】
前記識別情報提供手段は、少なくとも、地図表示板に隣接して設置されている
ことを特徴とする請求項１ないし請求項５のいずれかに記載の地図情報提供システム。
【請求項７】
前記識別情報提供手段は、少なくとも、現在地の表示された地図表示板における当該現在地に隣接して設置されている
ことを特徴とする請求項１ないし請求項５のいずれかに記載の地図情報提供システム。
【考案の詳細な説明】
【技術分野】
【０００１】
本考案は、ユーザが携帯する携帯端末において地図の表示等をなすために、当該携帯端末に対し地図情報を提供する地図情報提供システムに関する。
【背景技術】
【０００２】
従来、位置情報表示装置として、下記特許文献１に記載のものが知られている。この位置情報表示装置は、携帯端末から位置情報を電子メールにより受信し、その位置の周辺地図を表示するものである。位置情報は、携帯端末が店に置かれた決済用の固定端末と決済時に通信した際の決済記録に基づき店の位置を検索することで得られる（００６７〜００７０段落、図１０）。
【先行技術文献】
【特許文献】
【０００３】
【特許文献１】特開２００７−８９０５１号公報
【考案の概要】
【考案が解決しようとする課題】
【０００４】
このような位置情報表示装置では、決済用の固定端末との携帯端末の通信により位置を把握して周辺地図を表示可能であるが、決済情報から位置情報を取得するための処理が複雑になるし、設定を切り替えない限り決済の度にメールが送信されて地図表示がなされることとなり煩わしい。又、このような位置情報表示装置は、携帯端末自体に周辺地図を表示するものではなく、携帯端末のユーザが周辺地図を見ることができない。更に、このような位置情報表示装置において、位置に応じ周辺地図の表示態様を変える旨の観点は全くない。
【０００５】
そこで、請求項１に記載の考案は、位置に応じた適切な表示態様（範囲）において地図情報を携帯端末に簡便に提供することのできる地図情報提供システムを提供することを目的としたものである。
【課題を解決するための手段】
【０００６】
上記目的を達成するために、請求項１に記載の考案は、予め各所に設置された、複数のユーザの各携帯端末に識別情報を付与可能な複数の識別情報提供手段と、前記携帯端末とそれぞれ通信可能に接続された、記憶手段を有する地図情報サーバコンピュータとを備え、前記地図情報サーバコンピュータは、前記記憶手段に、提供しようとする地図のデータ及び複数の施設のデータを含む基礎地図データを有すると共に、前記携帯端末のいずれかから前記識別情報を受信すると、当該識別情報に応じた範囲で前記基礎地図データを参照して地図画像を作成し、当該携帯端末に送信するものであり、前記範囲は、前記施設の多少に応じた縮尺に基づくものであることを特徴とするものである。
【０００７】
請求項２に記載の考案は、上記目的に加えて、より手間なく簡単にユーザが地図画像を見ることができるようにする目的を達成するため、上記考案にあって、前記識別情報提供手段は、複数のユーザの各前記携帯端末に前記識別情報を接触通信及び／又は非接触通信により送信可能な複数のリーダライタであることを特徴とする。
【０００８】
請求項３に記載の考案は、上記目的に加えて、識別情報提供手段の設置箇所に応じた適切な表示態様（表示範囲）の地図情報を一層円滑に提供する目的を達成するため、上記考案にあって、前記地図情報サーバコンピュータは、前記記憶手段に、各前記識別情報と前記範囲に係る情報とを対応付けた識別情報データベースを有し、受信した前記識別情報に基づいて当該識別情報データベースを参照することにより、前記範囲を決定することを特徴とする。
【０００９】
請求項４に記載の考案は、上記目的に加えて、携帯端末に専用のプログラムを導入する等の手間をかけることなく、関連情報（識別情報提供手段の設置箇所に応じたリンク情報等）をも簡便に提供する目的を達成するため、上記考案にあって、前記識別情報は、前記地図情報サーバコンピュータを示すＵＲＬに係るものであることを特徴とする。
【００１０】
請求項５，６，７に記載の考案は、上記目的に加えて、地図情報を提供するのに効果的で便利な箇所に識別情報提供手段を配置する目的を達成するため、上記考案にあって、前記識別情報提供手段は、少なくとも、駅に設置されていたり、地図表示板に隣接して設置されていたり、現在地の表示された地図表示板における当該現在地に隣接して設置されていたりすることを特徴とする。
【考案の効果】
【００１１】
本考案によれば、携帯端末に識別情報を付与可能な識別情報提供手段を複数配置すると共に、各識別情報提供手段から識別情報を得た携帯端末が地図情報サーバコンピュータにアクセスして識別情報を送信し、識別情報に応じた範囲における地図の画像のダウンロードを受けるので、識別情報提供手段の設置箇所に適した範囲（表示態様）で地図情報を提供することができる、という効果を奏する。
【図面の簡単な説明】
【００１２】
【図１】本考案に係る地図情報提供システム（ないしその周囲）のブロック図である。
【図２】図１の地図情報提供システムにおけるＵＲＬデータベースの模式図である。
【図３】図１の地図情報提供システムの動作ないし本考案に係る地図情報提供を示すフローチャートである。
【図４】（ａ）は本考案に係る地図画像を含む地図情報に係るブラウザ用ページを示す模式図であり、（ｂ）は本考案に係る携帯端末における地図情報の表示例を示す模式図である。
【考案を実施するための形態】
【００１３】
以下、本考案に係る実施の形態の例につき、適宜図面に基づいて説明する。なお、本考案の形態は、この例に限定されない。
【００１４】
［構成］
［全体構成］
図１は本考案に係る地図情報提供システム１（ないしその周囲）のブロック図であって、地図情報提供システム１は、地図情報サーバコンピュータ（地図情報サーバ）２と、識別情報提供手段としてのリーダライタ４と、携帯端末６とを含む。地図情報サーバ２と携帯端末６とは、通信回線網（ここではインターネットＮ）を介して通信可能である。又、リーダライタ４と携帯端末６との間では、近接通信（接触通信及び／又は非接触通信）が可能である。
【００１５】
［地図情報サーバ］
地図情報サーバ２は、例えば地図情報提供団体に設置される。地図情報サーバ２は、通信を行う通信手段１１と、記憶手段１２と、これらを制御する制御手段１４とを備える。通信手段１１は、例えばモデムである。記憶手段１２は、例えばハードディスクやリムーバブルディスク、メモリである。記憶手段１２には、制御手段１４で実行される地図情報提供プログラム１６ないし通信プログラム１７と、基礎地図データ１８と、識別情報データベースとしてのＵＲＬデータベース２０と、登録施設情報２１が記憶されている。又、制御手段１４は、例えばＣＰＵである。なお、ＵＲＬは、「Ｕｎｉｆｏｒｍ  Ｒｅｓｏｕｒｃｅ  Ｌｏｃａｔｏｒ」の略である。
【００１６】
基礎地図データ１８は、道路や河川、鉄道等に関するデータの他、主要な建築物あるいは登録された施設に係るデータや、住所地番に係るデータを備えて成り、携帯端末６に提供する地図に比較して広域をカバーする。
【００１７】
又、ＵＲＬデータベース２０は、図２に示すように、所定のＵＲＬ（の一部）２２と、基礎地図データ１８における座標値２３・縮尺２５（基礎地図データ１８における範囲を示す情報）とが対応付けられることにより成る。なお、ＵＲＬデータベース２０では、更に、前記座標値２３周辺（又は地図提供範囲内あるいはその近辺）の登録施設等に関する情報（登録施設情報２１の一部）に係るリンク情報２６が、所定のＵＲＬ２２と対応付けられている。
【００１８】
［リーダライタ］
一方、リーダライタ４は、ここでは駅に設置された地図（看板、表示板）に隣接して複数設置される。リーダライタ４は、コイル３０と、記憶手段３２と、これらを制御する制御手段３４とを備える。記憶手段３２は、例えばハードディスクやメモリである。記憶手段３２には、制御手段３４で実行される近接通信プログラム３６と、リーダライタ４ごとに決定された識別情報としてのＵＲＬデータ３８が記憶されている。又、制御手段３４は、例えばＣＰＵである。
【００１９】
［携帯端末］
他方、携帯端末６は、例えば各ユーザが所持する携帯電話である。携帯端末６は、コイル５０と、通信手段５１と、記憶手段５２と、操作手段５３と、表示手段５４と、これらを制御する制御手段５５とを備える。通信手段５１は、例えば携帯電話の通信装置（ないしアンテナ）である（なおこの場合基地局、携帯電話網ないしアクセスポイントを介してインターネットＮに接続される）。記憶手段５２は、例えばメモリである。記憶手段５２には、制御手段３４で実行される近接通信プログラム５６、通信プログラム５７ないしブラウザ５８が記憶されている。操作手段５３は、方向キーや決定ボタン・クリアボタン（図示せず）を含む。ブラウザ５８は、ＵＲＬの入力に応じ、インターネットＮを介しサーバコンピュータから情報を取得して表示する一般的なプログラムである。又、制御手段５５は、例えばＣＰＵである。
【００２０】
［その他］
なお、地図情報サーバ２では、通信プログラム１７を実行する制御手段１４が通信手段１１を制御することにより、インターネットＮにおいて通信し、携帯端末６では、通信プログラム５７を実行する制御手段５５が通信手段５１を制御することにより、インターネットＮにおいて通信する。
【００２１】
又、リーダライタ４では、近接通信プログラム３６を実行する制御手段３４がコイル３０を制御することにより、隣接したコイル５０において通信し、携帯端末６では、近接通信プログラム５６を実行する制御手段５５がコイル５０を制御することにより、隣接したコイル３０において通信する。
【００２２】
このような近接通信では、接触インターフェイスとして、国際標準化機構に係るＩＳＯ／ＩＥＣ７８１９等を採用することができる。又、近接通信専用の制御手段を別個に設けることができるし、この専用制御手段と、近接通信プログラム３６，５６あるいはこれとコイル３０，５０とをＩＣとしてまとめ、リーダライタ４や携帯端末６に装着することもできる。ここで、接触型ＩＣとして、ＩＳＯ／ＩＥＣ７８１６に準拠したものを採用することができる。又、非接触型ＩＣとして、ＩＳＯ／ＩＥＣ１４４４３に準拠したものを採用することができる。更に、近接通信におけるコマンドやレスポンスは、ＩＳＯ／ＩＥＣ７８１６におけるＡＰＤＵに準拠することができる。
【００２３】
［動作］
［リーダライタないし携帯端末等］
図３は、地図情報提供システム１の動作を示すフローチャートである。各リーダライタ４の制御手段３４は、他の近接通信を行う装置を検出するため、近接通信プログラム３６を実行して、コイル３０を介して検出コマンドを定期的に送信し、他の装置からの初期応答レスポンスを待つ（ステップ１００）。
【００２４】
ユーザは、携帯端末６の近接通信を有効にする操作を適宜行って、リーダライタ４あるいはそのカバーに表示された「タッチで地図取得」の文字やこれに隣接する囲みに携帯端末６を近づける。すると、リーダライタ４のコイル３０と携帯端末６のコイル５０が近接し、近接通信プログラム５６を実行する携帯端末６の制御手段５５は、コイル５０を介してリーダライタ４からの検出コマンドの受信を把握するので、この把握に応じて初期応答レスポンスを返信する（ステップ１０２）。
【００２５】
リーダライタ４の制御手段３４は、初期応答レスポンスを受信すると、初期化コマンドを発信し、携帯端末６の制御手段５５は、初期化コマンドを受信すると、初期化レスポンスを送信して、互いに通信の初期化を行う（ステップ１０４）。又、同様にして、認証コマンドや認証レスポンスをやり取りする（ステップ１０６）。
【００２６】
そして、リーダライタ４の制御手段３４は、認証がなされると、記憶手段３２のＵＲＬデータ３８を読み出して送信する（ステップ１０８）。携帯端末６の制御手段５５は、この送信に応じてＵＲＬデータ３８を受信する（ステップ１０９、識別情報取得ステップ）。
【００２７】
又、携帯端末６の制御手段５５は、ＵＲＬデータ３８を受信すると、ブラウザ５８を自動で起動し、ＵＲＬデータ３８（前部）に基づいてインターネットＮを介し地図情報サーバ２にアクセスする（ステップ１１０、識別情報送信ステップ）。インターネットＮを介した通信は、ブラウザ５８を実行する制御手段５５が通信プログラム５７をも実行し、通信手段５１を制御することにより行われる。なお、携帯端末６の制御手段５５は、ブラウザ５８の起動前やインターネットＮへのアクセス前等に、「接続します。ＯＫ」といった確認メッセージを表示したり、確認入力（操作手段５３に係る決定ボタンの押下等）を受け付けたりする。
【００２８】
例えば、リーダライタ４がＵＲＬデータ３８として「ｈｔｔｐ：／／○×△．ｊｐ／ａ０００１／」を持つとすると、携帯端末６の制御手段５５は、「ｈｔｔｐ：／／○×△．ｊｐ／」の部分に基づいて、地図情報サーバ２にアクセスする。
【００２９】
［携帯端末ないし地図情報サーバ等］
地図情報提供プログラム１６ないし通信プログラム１７を実行する地図情報サーバ２の制御手段１４は、インターネットＮを通じたアクセスを通信手段１１の制御により把握すると、ＵＲＬデータベース２０を参照し、ＵＲＬデータ３８（後部）に対応する座標値２３・縮尺２５を読み出す（ステップ１１２、基礎地図データ１８から抽出する範囲の決定）。
【００３０】
例えば、制御手段１４は、「ｈｔｔｐ：／／○×△．ｊｐ／ａ０００１／」の一部の「ａ０００１」に基づき、座標値２３・縮尺２５を読み出す。座標値２３は、提供しようとする地図の中心座標であり、北緯３５度３７分４２秒，東経１３９度４４分２１秒である。縮尺２５は、基礎地図データ１８に対する拡大縮小率であり、８０％である。
【００３１】
そして、通信プログラム１７を実行する地図情報サーバ２の制御手段１４は、読み出した座標値２３を中心とする所定形状（ここでは正方形）であり、縮尺２５に対応する大きさを有する範囲（決定された範囲、初期の地図提供範囲）をもって、基礎地図データ１８の一部を参照し、当該範囲における地図画像７０（図４参照）を作成する（ステップ１１４）。なお、地図画像７０は、登録施設や方位を示すアイコンあるいは中心位置を示すマークを加えて作成することができる。
【００３２】
例えば、制御手段１４は、基礎地図データ１８における北緯３５度３７分４２秒，東経１３９度４４分２１秒（座標値２３）を中心とした正方形で囲まれる範囲であって、縮小度８０％（縮尺２５）に応じた大きさのものを、その縮小度で切り出し、記憶手段１２において別途一時的に保存する。
【００３３】
更に、地図情報サーバ２の制御手段１４は、作成した地図画像７０を上部に配置したブラウザ５８用のページ７２を生成する（ステップ１１６，図４（ａ））。なお、制御手段１４は、ページ７２において、サービスマーク、広告の他、他言語版地図へのリンクや検索用テキストボックスないし検索ボタンを配置する。又、制御手段１４は、ＵＲＬデータベース２０のリンク情報２６を参照し、情報提供範囲に応じた施設（店舗を含む）やサービスあるいは商品に関するページへのリンクを配置する。当該リンクは、例えば「食べる」「買う」「働く」「暮らす」「遊ぶ」「学ぶ」といったようにカテゴリ別に分かれている。又、これらリンクを辿ると、店舗等のリンクリストが表示されたり、店舗等の基本情報（店舗外観画像、店舗サイトへのリンク、電話番号、住所、最寄駅ないしそこから徒歩で要する時間、営業時間、定休日、あるいは求人団体名、待遇、募集人員、勤務時間、又は物件名、賃料、敷金等、間取り、最寄駅ないしそこから徒歩で要する時間、条件等）が、登録施設情報２１の参照に基づく等して表示されたりする。
【００３４】
そして、通信プログラム１７を実行する地図情報サーバ２の制御手段１４は、通信手段１１を制御して、生成した地図画像７０を含むページ７２を、インターネットＮを介してアクセス元の携帯端末６へ送信し、地図情報の提供を行う（ステップ１１８）。なお、ステップ１１２〜１１８は、地図画像送信ステップを構成する。
【００３５】
通信プログラム５７ないしブラウザ５８を実行する携帯端末６の制御手段５５は、地図画像７０を含むページ７２につき、インターネットＮを介して通信手段により受信すると、これを表示手段５４において表示し、地図情報の表示を実現する（ステップ１２０、図４（ｂ））。この地図情報の表示は、ＵＲＬデータ３８即ちリーダライタ４（の設置箇所）に応じた座標値２３・縮尺２５における地図画像７０等によりなされる。
【００３６】
例えば、ＵＲＬデータ３８として「ｈｔｔｐ：／／○×△．ｊｐ／ａ０００１／」を持つリーダライタ４が、□駅の、施設が比較的に駅寄りで多い中央出口における周辺地図の隣に設置されているとすると、座標値２３を中央出口先が開ける位置に応じたものとし、縮尺２５を比較的に大きめとして、比較的に狭い範囲ではあるが施設情報が重複し難く見やすいような地図画像７０に係るものとする。又、ＵＲＬデータ３８として「ｈｔｔｐ：／／○×△．ｊｐ／ａ０００２／」を持つリーダライタ４が、□駅の、施設が比較的に少ない北出口における周辺地図の隣に設置されているとすると、座標値２３を北出口先が開ける位置に応じたものとし、縮尺２５を比較的に小さくして、より先を見通せるものとする。更に、ＵＲＬデータ３８として「ｈｔｔｐ：／／○×△．ｊｐ／ｂ０００１／」を持つリーダライタ４が、□駅より規模の小さい☆駅の、南寄りに施設のある１番出口に設置されているとすると、１番出口先で南寄りの座標値２３とし、縮尺２５を比較的に小さくする。なお、ここでは提供する地図画像７０のサイズは同じである。又、各リーダライタ４が設置された地図表示板と同様な範囲に係る地図画像７０に調整することもできる。
【００３７】
加えて、携帯端末６の制御手段５５は、リンク情報２６に係るリンクへの入力（操作手段５３に係る方向キーによるリンク選択後の決定ボタン押下等）があると、そのリンク先のページをダウンロードして表示するリンク処理を行う（ステップ１２２）。リンク先は、ここでは地図情報サーバ２やこれと同じ団体内に設置された他のサーバコンピュータ、あるいは情報提供に係る契約先のサーバコンピュータ等である。リンク先が地図情報サーバ２であれば、地図情報サーバ２の制御手段１４はＵＲＬデータベース２０のリンク情報２６や記憶手段１２の登録施設情報２１を参照し、上述の店舗基本情報等を参照して携帯端末６のブラウザ５８用のページを作成し（又は既に作成済みのページを参照し）、通信手段１１を介して携帯端末６にこれを送信し、携帯端末６の制御手段５５はこれを通信手段５１を介し受信して表示手段５４において当該ページを表示する。
【００３８】
なお、携帯端末６の制御手段５５は、地図画像７０への入力（操作手段５３に係る方向キーによる地図画像７０の選択後に決定ボタンを押下し更に方向キーを操作する等）があった場合に、地図情報サーバ２にアクセスして、基礎地図データ１８における現在表示されている地図画像７０に隣接する部分の画像（縮尺は同じ）を送信してもらい、隣接する地図画像を表示することができる。ここで、携帯端末６の制御手段５５は、予め地図画像７０より広い範囲で基礎地図データ１８の部分情報を取得しておき、かかる範囲においては当該入力に応じ即座に隣接地図画像を表示することもできる。
【００３９】
又、携帯端末６の制御手段５５は、地図画像７０への別の入力（地図画像７０の選択後に決定ボタンを２回押下する等）に基づき、縮尺や方位等の変更を処理することができる。縮尺変更処理は、携帯端末６における地図画像７０の拡大縮小、地図情報サーバ２における別の地図画像の取得、拡大縮小ないし送信、あるいはこれらの併用等により実行する。又、方位変更処理も、縮尺変更処理と同様に行える。
【００４０】
［効果］
以上の地図情報提供システム１では、予め各所に設置された、複数のユーザの各携帯端末６にＵＲＬデータ３８を付与可能な複数のリーダライタ４と、各携帯端末６とそれぞれ通信可能に接続された、記憶手段１２を有する地図情報サーバ２とを備え、地図情報サーバ２は、記憶手段１２に、提供しようとする地図のデータを含む基礎地図データ１８を有すると共に、携帯端末６のいずれかからＵＲＬデータ３８を受信すると、当該ＵＲＬデータ３８（の末部）に応じた範囲で基礎地図データ１８を参照して地図画像７０を作成し、当該携帯端末６に送信するので、ＵＲＬデータ３８（リーダライタ４の設置場所）に応じた範囲にて地図画像７０を調整して携帯端末６に提供することができ、携帯端末６にあってその適切な範囲における地図画像７０をすぐさま表示させることができ、即ち携帯端末６がＵＲＬデータ３８を取得する位置にあって適切な範囲の地図情報を提供し携帯端末６に簡便に表示させることができ、ユーザにとって必要で適切な地図情報を円滑に提供することができる。
【００４１】
加えて、複数のユーザの各携帯端末６にＵＲＬデータ３８を接触通信及び／又は非接触通信により送信可能な複数のリーダライタ４を用いたので、ユーザはリーダライタ４に携帯端末６をかざすだけで極めて簡単に適切な地図情報を得ることができる。
【００４２】
又、地図情報サーバ２は、記憶手段１２に、ＵＲＬデータ３８（の末部）と地図提供範囲に係る情報とを対応付けたＵＲＬデータベース２０を有し、携帯端末６から受信したＵＲＬデータ３８に基づいて当該ＵＲＬデータベース２０を参照することにより、地図提供範囲を決定するので、より一層円滑に適切な地図情報を提供することができる。
【００４３】
更に、ＵＲＬデータ３８は、地図情報サーバ２を示すＵＲＬに係るので、広く普及し携帯端末６において一般的に搭載されたブラウザ５８を用い、より一層簡便に地図画像やリンク情報といった地図情報を提供することができる。
【００４４】
又、地図提供範囲は、座標値２３及び／又は縮尺２５に基づいて決定されるので、基礎地図データ１８から迅速的確に適切な提供範囲の地図画像７０を作成することができ、より円滑に地図情報を提供することができる。
【００４５】
更に、リーダライタ４が駅（の出口）に設置されているので、ユーザは不案内な駅にあっても簡単に周辺地図を得て適宜参照することができ、駅で地図を探したり頭で記憶したりする必要がないし、迷った場合等もう一度周辺地図を見たい場合に駅に戻ることなく自身の携帯端末６で確認することができる。
【００４６】
又更に、リーダライタ４が地図表示板に隣接して設置されているので、地図表示板と同様な地図を携帯端末６において円滑に取得することができ、頭で記憶したりする必要がないし、迷った場合等にも自身の携帯端末６で確認することができ、又、地図表示板の表示によって、ユーザは予想通りの取得できる地図画像７０等を得ることができる。
【００４７】
［変更例］
なお、主に上記形態を変更して成る、本考案の他の形態を例示する。識別情報として、ＵＲＬ（の一部）の代わりに、バーコード、２次元コード、メールアドレス又はこれらの組合せを採用する。又、識別情報提供手段として、リーダライタの代わりに、携帯端末のカメラやスキャナによる入力に供するコード、携帯端末への入力に供する文字情報、携帯端末へのメール送信手段又はこれらの組合せ等を採用する。
【００４８】
各種手段やプログラム、データベースにつき、通信プログラムと近接通信プログラムとを一体化したり、通信プログラムと地図情報提供プログラムとを一体化したり、通信プログラムとブラウザとを一体化したり、ＵＲＬデータベースにおいてＵＲＬごとに方位をも格納したりする等、機能や項目の追加変更や省略、数の変更等を行う。なお、方位を格納した場合には、リーダライタの設置箇所に応じ所定の方位を上方として地図画像を生成し表示させることができ、出口から真っ直ぐ外を向いた場合の実際の道路配置等に地図画像を合致させる等することができる。
【００４９】
プログラム等の各種ステップにつき、ＵＲＬデータ取得後のブラウザ起動を確認メッセージへの入力受付後としたり、地図情報サーバへのアクセスにおいても認証処理を実行したりする等、適宜機能の追加変更や順序の入替、省略等をなす。通信につき、前記規格以外のものを採用したり、コマンドやレスポンスを複数の組（あるいは複数回のやり取り）に係るものとしたり、コマンド発信側とレスポンス発信側を入れ替えたり、コイルやＩＣカードに代えてあるいはこれらと共にアンテナないし電波に係るものを採用したりする。
【００５０】
地図情報サーバを単数又は複数とし、各種記憶手段等を複数に分け、あるいはリーダライタを駅の他の場所（地図の設置されていない改札口や出口等）や施設（登録施設及び／又は主要施設）等に設置する。携帯端末に、ＰＤＡやパーソナルコンピュータ等を含める。地図情報を最上部としたり、リンクを適宜省略したりする等、適宜ページのレイアウト等を変更する。確認メッセージ表示や確認入力につき、省略したり、画像表示前等において追加したりする。地図画像につき、識別情報ごとにサイズを変更する。
【００５１】
ＵＲＬデータとして「ｈｔｔｐ：／／」を持たず携帯端末側で付与するようにしたり、ＵＲＬデータを「ｈｔｔｐ：／／○×△．ｊｐ／駅／出口番号／」や「ｈｔｔｐ：／／○×△．ｊｐ／ビルディング／施設／リーダライタ番号／」といった他の形式としたり、座標値として基礎地図データにおけるものを採用したり、縮尺として実際の地形に対するものを採用したり、中心座標値と縮尺とで基礎地図データからの抽出をせず、中心座標値及び一辺（二辺）の大きさや対角線上の２端点の座標値で行ったり、ＵＲＬデータに座標値や縮尺等の情報を含め、地図情報サーバはこの情報を利用するようにしたり、情報提供範囲を長方形等としたり、基礎地図データから建築物等を省いたり、基礎地図データに登録を受け付けなかった施設の位置情報等を含めたり、リンク情報をカテゴリ別に分けないようにしたり、リンク情報を省いたり、地図画像上にリンクを配置したりする等、データの形式等を変更する。
【００５２】
リーダライタを始めとする識別情報提供手段につき、現在地の表示された地図表示板における当該現在地の表示部位の裏側等に（当該現在地に隣接して）設置する。このように現在地の表示と関連づけてリーダライタを配置することで、一般にまず探されあるいはよく見られる（注目度の高い）現在地の表示部位に対する携帯端末の近接を受けることができ、携帯端末を近接すべき場所をユーザに効果的に認識させることができて、携帯端末における地図画像の取得をより一層促進することができる。又、この場合に、現在地（付近）に携帯端末をかざせば地図情報を取得できる旨の案内を、現在地及び／又は地図に隣接して（好ましくは地図下側、地図下のフロア及び／又は地図の脇に）、あるいはその他の場所において表示することができ、このような案内表示を施すことで、現在地への携帯端末への近接をユーザに告知することができ、更に携帯端末による地図情報の取得を促進することができる。
【産業上の利用可能性】
【００５３】
本考案の地図情報提供システムでは、適切な範囲の地図画像やリンク情報の提供に対して課金したり、あるいは課金はせず地図画像の周辺（隣接部や同一ページ内）やリンク先に広告を表示して広告主に課金したり、又は登録施設に係る登録を受け付け登録料を得たり、あるいはリンク情報の表示位置（表示順）を上方（上位）にするための手数料を得たり、又はリンク先にブラウザの表示を導く代金を得たり、あるいはこれらを適宜組み合わせたりすることが可能であり、いずれにせよ場所に応じ適切な態様で地図画像等の地図情報を提供することができるものである。
【符号の説明】
【００５４】
１    地図情報提供システム
２    地図情報サーバ（地図情報サーバコンピュータ）
４    リーダライタ（識別情報提供手段）
６    携帯端末
１２    記憶手段
１８    基礎地図データ
３８    ＵＲＬデータ（識別情報）
７０    地図画像
１０９    ステップ（識別情報取得ステップ）
１１０    ステップ（識別情報送信ステップ）
１１２〜１１８  ステップ（地図画像送信ステップ）
【図１】
0003156068.tif 000003
【図２】
0003156068.tif 000004
【図３】
0003156068.tif 000005
【図４】
0003156068.tif 000006